(57)【要約】      （修正有）【課題】使用者が第１結合ユニットと第２結合ユニットの組み合わせを通じて迅速に装着でき、かつ強固な結合の優れた特性により、弾性ユニットに強力なレジスタンスを具備させることができ、また使用者がトレーニング後に容易に取り外すことができる、レジスタンストレーニング用バンドを提供する。【解決手段】レジスタンストレーニング用バンドは、弾性ユニット１と、第１結合ユニット２と、第２結合ユニット３を含み、第１結合ユニットが弾性ユニットの一端に設置され、第１結合ユニットが挟持部２１を含み、第２結合ユニットが弾性ユニットの他端に設置され、挟持部が２つの内側に相互に対面したフック面２１１ (またはループ面)を備え、第２結合ユニットが２つの外側に相互を背にしたループ面３１ (またはフック面)を備え、第２結合ユニットが第１結合ユニットの挟持部に取り外し可能に結合される。【選択図】図１
0003231905.tif 000002
【実用新案登録請求の範囲】
【請求項１】
レジスタンストレーニング用バンドであって、
弾性ユニットと、
前記弾性ユニットの一端に設置され、挟持部を含む第１結合ユニットと、
前記弾性ユニットの他端に設置され、かつ前記第１結合ユニットの前記挟持部に取り外し可能に結合される第２結合ユニットと、
を含むことを特徴とする、レジスタンストレーニング用バンド。
【請求項２】
前記弾性ユニットが、弾性布、弾性バンドまたは弾性紐である、ことを特徴とする、請求項１に記載のレジスタンストレーニング用バンド。
【請求項３】
前記挟持部が２つの内側に相互に対面したフック面を備え、前記第２結合ユニットが２つの外側に相互を背にしたループ面を備え、前記第１結合ユニットが前記挟持部の前記フック面により、取り外し可能な方法で前記第２結合ユニットの前記ループ面を挟持して結合される、ことを特徴とする、請求項１に記載のレジスタンストレーニング用バンド。
【請求項４】
前記挟持部が２つの内側に相互に対面したループ面を備え、前記第２結合ユニットが２つの外側に相互を背にしたフック面を備え、前記第１結合ユニットが前記挟持部の前記ループ面により、取り外し可能な方法で前記第２結合ユニットの前記フック面を挟持して結合される、ことを特徴とする、請求項１に記載のレジスタンストレーニング用バンド。
【考案の詳細な説明】
【技術分野】
【０００１】
本考案はレジスタンストレーニング用バンドの改良に関し、特に、強固な結合の優れた特性を備え、使用者が容易に取り外すことができ、かつ強力なレジスタンスを備えた、レジスタンストレーニング用バンドに関する。
【背景技術】
【０００２】
使用者の身体上に巻き付けて固定する市販の一般的なレジスタンストレーニング用バンドは、基本的に、バンドと面ファスナーで構成されているが、このようなトレーニング用バンドのバンドは弾性を備え、面ファスナーのフック部とループ部がバンドの両端にそれぞれ設置されている。これにより、使用者は面ファスナーを通じてバンドを身体に巻き付けて固定し、トレーニングや運動を行う、または補助具を連動して引張力のトレーニングを行うことができる。
【０００３】
しかしながら、片面式の面ファスナーのみによる結合は、高強度のトレーニングを支えることができず、面ファスナーの離脱や緩み、さらには破損を生じやすく、使用者が運動やトレーニングの過程でケガをすることがある。
【考案の概要】
【考案が解決しようとする課題】
【０００４】
本考案の主な目的は、改善により上述の先行技術の欠点を解決し、第１結合ユニットと第２結合ユニットの組み合わせを利用して使用者が迅速に装着でき、かつ強固な結合の優れた特性を備え、弾性ユニットに強力なレジスタンスを具備させるとともに、使用者がトレーニング後容易に取り外すことができる、レジスタンストレーニング用バンドを提供することを課題とする。
【課題を解決するための手段】
【０００５】
以下この考案について説明する。請求項１に記載するレジスタンストレーニング用バンドは、弾性ユニットと、第１結合ユニットと、第２結合ユニットを含み、前記第１結合ユニットが前記弾性ユニットの一端に設置され、前記第１結合ユニットが挟持部を含み、前記第２結合ユニットが前記弾性ユニットの他端に設置され、かつ前記第２結合ユニットが前記第１結合ユニットの挟持部に取り外し可能に結合される。
【０００６】
請求項２に記載するレジスタンストレーニング用バンドは、請求項１における前記弾性ユニットが、弾性布、弾性バンドまたは弾性紐である。
【０００７】
請求項３に記載するレジスタンストレーニング用バンドは、請求項１における前記挟持部が２つの内側に相互に対面したフック面を備え、前記第２結合ユニットが２つの外側に相互を背にしたループ面を備え、前記第１結合ユニットが前記挟持部の前記フック面により、取り外し可能な方法で前記第２結合ユニットの前記ループ面を挟持して結合される。
【０００８】
請求項４に記載するレジスタンストレーニング用バンドは、請求項１における前記挟持部が２つの内側に相互に対面したループ面を備え、前記第２結合ユニットが２つの外側に相互を背にしたフック面を備え、前記第１結合ユニットが前記挟持部の前記ループ面により、取り外し可能な方法で前記第２結合ユニットの前記フック面を挟持して結合される。
【図面の簡単な説明】
【０００９】
【図１】本考案の立体外観図である。
【図２】本考案の使用状態を示す概略図１である。
【図３】本考案の使用状態を示す概略図２である。
【考案を実施するための形態】
【００１０】
図１から図３に、本考案の立体外観図、本考案の使用状態を示す概略図１、本考案の使用状態を示す概略図２をそれぞれ示す。図に示すように、本考案のレジスタンストレーニング用バンドは、前記レジスタンストレーニングバンドの構造が、少なくとも弾性ユニット１と、第１結合ユニット２と、第２結合ユニット３より構成されて成る。
【００１１】
前記第１結合ユニット２が前記弾性ユニット１の一端に設置され、前記第１結合ユニット２が挟持部２１を含む。
【００１２】
前記第２結合ユニット３が前記弾性ユニット１の他端に設置され、かつ前記第２結合ユニット３が前記第１結合ユニット２の挟持部２１に取り外し可能に結合される。
【００１３】
使用者が運動またはトレーニングをしたいとき、前記弾性ユニット１を引っ張る等の調整方法で身体上に巻き付けることができる。
【００１４】
前記弾性ユニット１を身体に巻き付けたとき、前記第１結合ユニット２が前記挟持部２１により前記第２結合ユニット３を挟持し、前記挟持部２１で挟持する方法で前記第２結合ユニット３を結合させ、前記弾性ユニット１を身体に巻き付け、引張力をかけたときも外れたり緩んだりしにくくすることができる。これにより、使用者は前記第１結合ユニット２と前記第２結合ユニット３の組み合わせを利用して迅速に装着でき、かつ強固な結合の優れた特性により、前記弾性ユニット１に強力なレジスタンスを具備させることができる。
【００１５】
身体から取り外すときは、前記挟持部２１を開いてから、前記第２結合ユニット３を前記挟持部２１から取り外すことで、トレーニング後は簡単かつ便利に取り外すことができ、結合が緩んでケガをすることを回避できる。
【００１６】
本考案の一実施例において、前記弾性ユニット１は弾性布、弾性バンドまたは弾性紐であり、これにより実際の運動またはトレーニングの必要に応じて強力なレジスタンスを具備させることができる。
【００１７】
本考案の一実施例において、前記挟持部２１が２つの内側に相互に対面したフック面２１１(またはループ面)を備え、前記第２結合ユニット３が２つの外側に相互を背にしたループ面３１(またはフック面)を備え、前記第１結合ユニット２が前記挟持部２１のフック面２１１により、取り外し可能な方法で前記第２結合ユニット３のループ面３１を挟持して結合される。
【００１８】
これにより、前記第１結合ユニット２が前記挟持部２１の各フック面２１１により前記第２結合ユニット３の各ループ面３１を挟持し、前記挟持部２１が２つの内側の各フック面２１１を利用して挟持する方法で前記第２結合ユニット３の２つの外側の各ループ面３１にそれぞれ結合され、前記弾性ユニット１を身体に巻き付けて引張力をかけたとき外れたり緩んだりしにくくすることができる。これにより、使用者は前記第１結合ユニット２と前記第２結合ユニット３の組み合わせを利用して迅速に装着でき、かつ強固な結合の優れた特性により、前記弾性ユニット１に強力なレジスタンスを具備させることができる。
【００１９】
反対に、使用者が身体から取り外したいときは、前記挟持部２１を開いて前記挟持部２１のうちの１つのフック面２１１とループ面３１の１つを分離した後、前記第２結合ユニット３の他方のループ面３１を前記挟持部２１の他方のフック面２１１から取り外すことで、トレーニング後は簡単かつ便利に取り外すことができ、結合が緩んでケガをすることを回避できる。
【００２０】
上述をまとめると、本考案のレジスタンストレーニング用バンドは既有のよくある欠点を明らかに効果的に改善でき、使用者が第１結合ユニットと第２結合ユニットの組み合わせを通じて迅速に装着でき、かつ強固な結合の優れた特性により、弾性ユニットに強力なレジスタンスを具備させることができ、また使用者がトレーニング後に容易に取り外すことができる。
【符号の説明】
【００２１】
１        弾性ユニット
２        第１結合ユニット
２１        挟持部
２１１    フック面
３        第２結合ユニット
３１        ループ面
【図１】
0003231905.tif 000003
【図２】
0003231905.tif 000004
【図３】
0003231905.tif 000005